(57)【要約】      （修正有）【課題】保健とフィットネスの機能がある亜鈴を提供する。【解決手段】亜鈴は、シェルを含み、シェルの上端にハンドルが固定設置され、シェルの中に振動駆動装置が設置され、シェルの下端部にベースが設置されていることを特徴とする。振動駆動装置で亜鈴を振動させることができる。振動駆動装置の駆動電源を充電バッテリーとすることで、亜鈴の移動と携帯を便利に行うことができる。【選択図】図１
0003155308.tif 000002
【実用新案登録請求の範囲】
【請求項１】
シェルを含み、前記シェルの上端にハンドルが固定設置され、前記シェルの中に振動駆動装置が設置され、前記シェルの下端部にベースが設置されていることを特徴とする亜鈴。
【請求項２】
前記振動駆動装置は前記シェルの中に固定設置されている駆動電源と駆動モータを含み、前記駆動モータの出力軸に偏心ホイールが固定設置され、前記シェルにスイッチボタンが固定設置され、前記スイッチボタン、前記駆動電源と前記駆動モータは電気的に接続されていることを特徴とする請求項１に記載の亜鈴。
【請求項３】
前記駆動電源はバッテリーであり、前記シェルの中にバッテリーベースが固定設置され、前記バッテリーは前記バッテリーベースの中に設置されていることを特徴とする請求項２に記載の亜鈴。
【請求項４】
前記バッテリーは充電バッテリーであり、前記シェルの中に充電ベースが設置され、前記バッテリーベースは前記充電ベースの中に設置され、前記シェルに充電差し込み穴が設置され、前記充電差し込み穴と前記充電ベースは電気的に接続されていることを特徴とする請求項３に記載の亜鈴。
【請求項５】
前記シェルの下端部に仕切り板が固定設置され、前記仕切り板と前記ベースの間に一枚以上のウエイトブロックが固定設置されていることを特徴とする請求項１に記載の亜鈴。
【請求項６】
前記ウエイトブロックと前記ベースにそれぞれ接続ネジ棒が固定設置され、前記ウエイトブロックは前記仕切り板の底部に接続ネジ棒で接続され、前記ベースは前記ウエイトブロックの底部に接続ネジ棒で接続されていることを特徴とする請求項５に記載の亜鈴。
【請求項７】
前記ベースの底部にゴム材質のフットマットが固定設置されていることを特徴とする請求項１に記載の亜鈴。
【考案の詳細な説明】
【技術分野】
【０００１】
この考案は、腕の筋肉を鍛えるトレーニング器材、特に亜鈴に関係するものである。
【背景技術】
【０００２】
社会の発展に従って、人々の生活水準が絶えず向上しつつあり、健康をますます重視し始めている。そして、生活水準の向上に従い、肥満者が益々多く増え、フィットネス、保健、ダイエットが人々の関心話題となっている。この需要に応えるために、市場にはいろいろなフィットネス保健器材が出現している。
現在、市販されているフィットネス保健器材の亜鈴は、単純に一定の重量がある手持ち物であり、鍛錬を行う人が繰り返し持ち上げたり持ち下げたりすることにより腕の筋肉の運動をし、局部的な脂肪の燃焼を行わせ、腕のダイエットを実現することを図るものである。
【０００３】
しかし、従来の亜鈴は、保健的な機能がなく、フィットネス保健を目的とする人々にとってはこの様な亜鈴は理想的なものではないといえる。
【考案の概要】
【考案が解決しようとする課題】
【０００４】
この考案の解決しようとする課題は、保健とフィットネスの機能がある亜鈴を提供することである。
【課題を解決するための手段】
【０００５】
この考案においては、上述の課題を解決する手段として、シェルを含み、前記シェルの上端にハンドルが固定設置されており、前記シェルの中に振動駆動装置が設置され、前記シェルの下端にベースが固定設置されていることを特徴とする亜鈴が使われている。
前記振動駆動装置は、前記シェルの中に固定設置されている駆動電源と駆動モータからなる。前記駆動モータの出力軸に偏心ホイールが固定接続され、前記シェルにはスイッチボタンが固定設置され、前記スイッチボタン、前記駆動電源と前記駆動モータは電気的に接続されている。
前記駆動電源はバッテリーであり、前記シェルの中にバッテリーベースが固定設置され、前記バッテリーは前記バッテリーベースの中に設置されている。
前記バッテリーは充電バッテリーであり、前記シェルの中に充電ベースが設置され、前記バッテリーベースは前記充電ベースの中に設置され、前記シェルに充電差し込み穴が設置され、前記充電差し込み穴と前記充電ベースは電気的に接続されている。
前記シェルの下端部に仕切り板が固定設置され、前記仕切り板と前記ベースの間に一枚以上のウエイトブロックが固定設置されている。
前記ウエイトブロックと前記ベースにそれぞれ接続ネジ棒が固定設置され、前記ウエイトブロックは前記仕切り板の底部に接続ネジ棒で接続され、前記ベースは前記ウエイトブロックの底部に接続ネジ棒で接続されている。
前記ベースの底部には、ゴム材質のフットマットが固定設置されている。
【考案の効果】
【０００６】
この考案の亜鈴は、従来の技術に比べ、メリットとして、シェルの中に振動駆動装置が設置されており、亜鈴を振動させることができる。同時にシェルの上端にはハンドルが設置されており、鍛錬を行う人は亜鈴を上下すると同時に亜鈴を振動させることができる。この考案の亜鈴は、これで腕の筋肉を鍛えると同時に人体の血液循環を促進することができ、人体の保健につなげることができる。
また、この考案の亜鈴は、振動駆動装置の駆動電源を充電バッテリとすることで、亜鈴の移動と携帯を便利に行うことができる。同時に充電バッテリーは繰り返し充電して使用できるので、コストが削減できると同時に環境にやさしい亜鈴を実現することができる。
さらに、この亜鈴は、ウエイトブロックの取外しと装着は接続ネジ棒により簡単であり、鍛錬を行う人は自分の体質に基づきウエイトブロックの枚数を増減することにより、亜鈴の重量を容易に増減することができる。
また、この亜鈴は、鍛錬を行う人が亜鈴を床に置き、亜鈴の振動のみでフィットネスする時に、亜鈴と床の接触による騒音をゴム材質のフットマットで低減することができる。
【図面の簡単な説明】
【０００７】
【図１】亜鈴の斜視図である。（実施例）
【図２】シェルの内部構造を示す底面図である。（実施例）
【図３】亜鈴の分解図である。（実施例）
【考案を実施するための形態】
【０００８】
以下、図面に基づいて、この考案の実施例を詳細に説明する。
【実施例】
【０００９】
図１に示すように、亜鈴はシェル１、ベース６と二枚のウエイトブロック５からなっている。逆ボウル形状のシェル１の上端には、ハンドル１１が設置されている。シェル１の中には、図２に示すように、振動駆動装置を構成する充電ベース４と駆動モータ８が設置されている。
充電ベース４の中には、バッテリーベース２が設置されている。バッテリーベース２の中には、充電バッテリー３が設置されている。シェル１の上部には、充電差し込み穴１２が設置されている。充電差し込み穴１２と充電ベース４は、電気的に接続されている。
円柱形状の前記駆動モータ８は、両端から突出された出力軸にそれぞれ偏心ホイール８１が固定接続され、出力軸の回転により振動を発生する。シェル１の上部には、充電差し込み穴１２と並んでスイッチボタン１３が固定設置されている。スイッチボタン１３、充電バッテリー３と駆動モータ８は、電気的に接続されている。
前記シェル１の下端部には、円板形状の仕切り板７が固定設置される。円板形状のウエイトブロック５とボウル形状のベース６には、図３に示すように、それぞれ上部に接続ネジ棒５１が固定設置されている。二枚のウエイトブロック５は、順次に、仕切り板７の底部の接続ネジ孔に一枚目のウエイトブロック５が接続ネジ棒５１で接続され、一枚目のウエイトブロック５の底部の接続ネジ孔に二枚目のウエイトブロック５が接続ネジ棒５１で接続される。
ベース６は、二枚目のウエイトブロック５の底部の接続ネジ孔に接続ネジ棒５１で接続される。このベース６の底部には、ゴム材質のフットマット６１が固定設置されている。
【００１０】
この亜鈴は、シェル１の中に振動駆動装置が設置されており、スイッチボタン１３の操作で充電バッテリー３から駆動モータ８に電気を供給して駆動し、亜鈴を振動させることができる。同時にシェル１の上端にはハンドル１１が設置されており、鍛錬を行う人は亜鈴を上下すると同時に亜鈴を振動させることができる。この亜鈴は、これで腕の筋肉を鍛えると同時に人体の血液循環を促進することができ、人体の保健につなげることができる。
また、この亜鈴は、振動駆動装置の駆動電源を充電バッテリー３とすることで、亜鈴の移動と携帯を便利に行うことができる。同時に充電バッテリー３は繰り返し充電して使用できるので、コストが削減できると同時に環境にやさしい亜鈴を実現することができる。
さらに、この亜鈴は、ウエイトブロック５の取外しと装着は接続ネジ棒５１により簡単であり、鍛錬を行う人は自分の体質に基づきウエイトブロック５の枚数を増減することにより、亜鈴の重量を容易に増減することができる。
また、亜鈴は、鍛錬を行う人が亜鈴を床に置き、亜鈴の振動のみでフィットネスする時に、亜鈴と床の接触による騒音をゴム材質のフットマット６１で低減することができる。
なお、上述の実施例においては、駆動電源を充電バッテリー３としたが、充電バッテリー３は普通のバッテリーで代替することができる。これにより、この亜鈴は、構成のなかから充電差し込み穴１２と充電ベース４を取り除くことができ、コストを削減することができる。
【産業上の利用可能性】
【００１１】
この考案の亜鈴は、振動駆動装置で振動させることができ、同時にハンドルで上下することができるものであり、他のフィットネス保健機材にも応用することができる。
【符号の説明】
【００１２】
１  シェル
１１  ハンドル
１２  充電差し込み穴
１３  スイッチボタン
２  バッテリーベース
３  充電バッテリー
４  充電ベース
５  ウエイトブロック
５１  接続ネジ棒
６  ベース
６１  フットマット
７  仕切り板
８  駆動モータ
８１  偏心ホイール
【図１】
0003155308.tif 000003
【図２】
0003155308.tif 000004
【図３】
0003155308.tif 000005